(57)【要約】【課題】  強力な光伝送を行う装置を提供する。【解決手段】  光伝送装置２０は、開口１２が形成された金属フィルム１０と、金属フィルム１０の第１の表面１０ａに実質的に隣接して設けられた屈折率ｎd1の第１の誘電体層１４ａと、金属フィルム１０の第２の表面１０ｂに実質的に隣接して設けられた屈折率ｎd2の第２の誘電体層１４ｂとを有する。第１の誘電体層１４ａの屈折率ｎd1と、第２の誘電体層１４ｂの屈折率ｎd2とは実質的に等しい。【選択図】  図２
2005070778.tif 000002
【特許請求の範囲】
【請求項１】
光学素子であって、
第１および第２の表面を有する不透明な導電性フィルムと、
前記不透明な導電性フィルムに設けられ、前記第１の表面から前記第２の表面に連通する少なくとも１つの所定の波長未満の径を有する開口と、
前記不透明な導電性フィルムの前記第１の表面に実質的に隣接する第１の屈折率の第１の誘電体層と、
前記不透明な導電性フィルムの前記第２の表面に実質的に隣接する第２の屈折率の第２の誘電体層と、
前記不透明な導電性フィルムの前記第１および前記第２の表面の少なくとも一つに設けられた周期的に変化する表面形状とを有することを特徴とする光学素子。
【請求項２】
前記第１の屈折率と前記第２の屈折率が実質的に等しいことを特徴とする請求項１に記載の光学素子。
【請求項３】
光学素子であって、
第１および第２の表面を有する不透明な導電性フィルムと、
前記不透明な導電性フィルムに設けられ、前記第１の表面から前記第２の表面に連通する所定の波長未満の径を有する開口のアレイと、
前記不透明な導電性フィルムの前記第１の表面に実質的に隣接する第１の屈折率の第１の誘電体層と、
前記不透明な導電性フィルムの前記第２の表面に実質的に隣接する第２の屈折率の第２の誘電体層とを有し、
前記第１の屈折率と前記第２の屈折率が実質的に等しいことを特徴とする光学素子。
【請求項４】
光学素子であって、
第１および第２の表面を有する不透明な導電性フィルムと、
前記不透明な導電性フィルムに設けられ、前記第１の表面から前記第２の表面に連通する少なくとも１つの開口と、
前記不透明な導電性フィルムの前記第１の表面に実質的に隣接する第１の屈折率の第１の誘電体層と、
前記不透明な導電性フィルムの前記第２の表面に実質的に隣接する第２の屈折率の第２の誘電体層とを有し、
前記第２の屈折率は実質的に前記第１の屈折率に等しく、前記不透明な導電性フィルムの１つの表面に入射する光が前記不透明な導電性フィルムの少なくとも１つの表面の上の表面プラズモンモードと相互作用し、前記不透明な導電性フィルムの前記開口の少なくとも１つを通ずる光伝送を強化する光学素子。
【請求項５】
前記不透明な導電性フィルムの前記第１および第２の表面のうちの少なくとも１つが、周期的な表面形状である請求項４に記載の光学素子。
【請求項６】
前記周期的な表面形状が複数の表面特殊形状からなる、請求項１または５に記載の光学素子。
【請求項７】
前記開口が周期的に配列されている、請求項４に記載の光学素子。
【請求項８】
前記開口の少なくとも１つが円筒形またはスリット状、矩形、任意の形状のいずれかである、請求項１から７のいずれか１項に記載の光学素子。
【請求項９】
前記第１および第２の誘電体層の少なくとも１つが選択的に可変な屈折率を有する、請求項１に記載の光学素子。
【請求項１０】
空間光学フィルタであって、
請求項１から９のいずれか１項に記載の光学素子を有してなり、
前記不透明な導電性フィルムの前記開口の少なくとも１つを通ずる光伝送が強化され、
さらに特定範囲の波長の光のみが前記不透明な導電性フィルムの前記開口を通じて伝送されるように入射光線に関する前記不透明な導電性フィルムの方位を調整する手段を有する空間光学フィルタ。
【請求項１１】
空間光学フィルタであって、
請求項１から９のいずれか１項に記載の光学素子を有してなり、前記不透明な導電性フィルムの前記開口の少なくとも１つを通ずる光伝送が強化され、
さらに各開口を通じて移動する光が対応する光ファイバに入るように各開口と連通して配置された光ファイバを有する空間光学フィルタ。
【請求項１２】
光源と光検出器を有する走査型近接場光学顕微鏡の集光モードで使用する走査型近接場光学顕微鏡用プローブであって、
光源から受光するために前面が光源の近くに配置された請求項１から９のいずれか１項に記載の光学素子を有してなり、
前記不透明な導電性フィルムの前記開口の少なくとも１つを通ずる光伝送が強化され、強化された伝送光が前記光学素子を通じて前記光検出器に伝送される走査型近接場光学顕微鏡用プローブ。
【請求項１３】
光源と光検出器を有する走査型近接場光学顕微鏡の放射モードで使用する走査型近接場光学顕微鏡用プローブであって、
光を前記光検出器に伝送するために前面が前記光検出器の近くに配置された請求項１から９のいずれか１項に記載の光学素子を有してなり、
前記不透明な導電性フィルムの前記開口の少なくとも１つを通ずる光伝送が強化され、強化された伝送光が前記光検出器に伝送される走査型近接場光学顕微鏡用プローブ。
【請求項１４】
感光性耐蝕膜を被覆した基板に画像を転写する写真平版印刷用マスクであって、
請求項１から９のいずれか１項に記載の光学素子を有してなり、
転写する前記画像に対応するパターンに準拠して前記感光性耐蝕膜を被覆した基板を露光するように前記不透明な導電性フィルムの前記開口の少なくとも１つを通ずる光伝送が強化され、前記画像を転写する写真平版印刷用マスク。
【発明の詳細な説明】
【技術分野】
【０００１】
本発明は光学分野に関し、特に１つ以上の開口が設けられた薄い金属フィルムを通すことにより光を強める伝送技術に関する。
【背景技術】
【０００２】
米国特許出願番号08/979,432、1997年11月26日提出を基礎とする特許文献１（特開平１１−０７２６０７号公報）、（以下、'432出願）、米国特許出願番号09/l68,265、1998年10月8日提出を基礎とする特許文献２（特開２０００−９１１８５１号公報）、（以下、'265出願）、米国特許出願番号 09/208,116、1998年12月9日提出を基礎とする特許分権３（特開２０００−１７１７６３号公報）、（以下、'116出願）（ここでは、まとめて「先願」と呼び、ここでは、これら先願のそれぞれは本明細書に含まれる）で詳細に記述されているように、波長未満の直径の開口が１つ以上設けられている薄い金属フィルム（すなわち、導電性であり、重要となる波長において不透明である）を通しての光伝送は、周期的に配列された孔を配置すること、および／または、開口と共に金属フィルムの金属フィルム上に設けられた周期的な表面形状（窪みや突起といった表面形状）により大いに強化することが可能である。１０００倍程のこの強化は、導電性フィルムに入射する光が表面プラズモンモードと共振的に相互作用する時に生ずる。
【特許文献１】特開平１１−０７２６０７号公報
【特許文献２】特開２０００−９１１８５１号公報
【特許文献３】特開２０００−１７１７６３号公報
【発明の開示】
【発明が解決しようとする課題】
【０００３】
本発明は、従来の光伝送装置に比べて、さらに強化された光伝送効率の光伝送装置である。
【０００４】
さらに、本発明は光伝送装置を利用しての、新規の近接走査顕微鏡、光波長未満写真平版印刷用マスクの新技術、波長選択フィルタ、および集光装置を含む。
【０００５】
本発明によれば、孔開き金属フィルムを通して光伝送がなされる装置が提供される。この装置は第１および第２の表面を有する金属フィルムと、金属フィルムに設けられ第１の表面から第２の表面に連通する少なくとも１つの開口と、第１および第２の誘電体層とを有する。第１の誘電体層は実質的に金属フィルムの第１の表面に隣接して設けられており、また、第２の誘電体層は実質的に金属フィルムの第２の表面に隣接して設けられている。第１と第２の誘電体層のそれぞれの屈折率は、実質的に等しい。金属フィルムの１つの表面に入射する光が金属フィルムの少なくとも１つの表面上の表面プラズモンモードと相互作用し、金属フィルムの少なくとも１つの開口を通ずる光伝送を強化する。装置は単一の開口、あるいは、複数の周期的に整えられた開口を有するものでもよく、金属フィルム表面は、さらに伝送を強化するため、周期的な表面形状が設けられていてもいなくてもよい。波長選択光学装置、空間光学フィルタ、集光装置、近接走査光学顕微鏡装置、写真平版印刷用マスクも提供される。
【０００６】
したがって本発明の目的は、金属フィルムの両表面に実質的に隣接し、かつ、実質的に屈折率が等しい２つの誘電体層を用い、屈折率がよく似た層のない開口を通しての伝送に比較して伝送が強化されたような、１つ以上の開口を通しての光伝送を行う装置を提供することである。
【０００７】
本発明の他の目的は、強力な光伝送を単一の開口を通して行う装置を提供することである。
【０００８】
本発明のさらなる目的は、選択された波長で強力な光伝送を１つ以上の開口を通して行う装置を提供することである。
【０００９】
本発明の尚さらなる目的は、１つ以上の開口を有し、強力な光伝送を行う波長選択光学装置を提供することである。
【００１０】
本発明の尚さらなる目的は、強力な光伝送を行う空間光学フィルタを提供することである。
【００１１】
本発明の尚さらなる目的は、１つ以上の開口を有し、強力な光伝送を行う集光装置を提供することである。
【００１２】
本発明の尚さらなる目的は、１つ以上の開口を有し、強力な光伝送を行う近接走査光学顕微鏡装置を提供することである。
【００１３】
本発明の尚さらなる目的は、１つ以上の開口を有し、強力な光伝送を行う写真平版印刷用マスクを提供することである。
【００１４】
本発明の他の目的は添付の図面と共に下記記述を参照することによりさらに容易に明らかとなるであろう。
【課題を解決するための手段】
【００１５】
本発明の光学素子は、
第１および第２の表面を有する不透明な導電性フィルムと、
前記不透明な導電性フィルムに設けられ、前記第１の表面から前記第２の表面に連通する少なくとも１つの所定の波長未満の径を有する開口と、
前記不透明な導電性フィルムの前記第１の表面に実質的に隣接する第１の屈折率の第１の誘電体層と、
前記不透明な導電性フィルムの前記第２の表面に実質的に隣接する第２の屈折率の第２の誘電体層と、
前記不透明な導電性フィルムの前記第１および前記第２の表面の少なくとも一つに設けられた周期的に変化する表面形状とを有することを特徴とする。
【００１６】
この場合、前記第１の屈折率と前記第２の屈折率が実質的に等しいこととしてもよい。
【００１７】
本発明の他の形態による光学素子は、
第１および第２の表面を有する不透明な導電性フィルムと、
前記不透明な導電性フィルムに設けられ、前記第１の表面から前記第２の表面に連通する所定の波長未満の径を有する開口のアレイと、
前記不透明な導電性フィルムの前記第１の表面に実質的に隣接する第１の屈折率の第１の誘電体層と、
前記不透明な導電性フィルムの前記第２の表面に実質的に隣接する第２の屈折率の第２の誘電体層とを有し、
前記第１の屈折率と前記第２の屈折率が実質的に等しいことを特徴とする。
【００１８】
本発明のさらに他の形態による光学素子は、第１および第２の表面を有する不透明な導電性フィルムと、
前記不透明な導電性フィルムに設けられ、前記第１の表面から前記第２の表面に連通する少なくとも１つの開口と、
前記不透明な導電性フィルムの前記第１の表面に実質的に隣接する第１の屈折率の第１の誘電体層と、
前記不透明な導電性フィルムの前記第２の表面に実質的に隣接する第２の屈折率の第２の誘電体層とを有し、
前記第２の屈折率は実質的に前記第１の屈折率に等しく、前記不透明な導電性フィルムの１つの表面に入射する光が前記不透明な導電性フィルムの少なくとも１つの表面の上の表面プラズモンモードと相互作用し、前記不透明な導電性フィルムの前記開口の少なくとも１つを通ずる光伝送を強化する。
【００１９】
この場合、前記不透明な導電性フィルムの前記第１および第２の表面のうちの少なくとも１つが、周期的な表面形状であるとしてもよい。
【００２０】
さらに、前記周期的な表面形状が複数の表面特殊形状からなるとしてもよい。
【００２１】
さらに、前記開口が周期的に配列されているとしてもよい。
【００２２】
さらに、前記開口の少なくとも１つが円筒形またはスリット状、矩形、任意の形状のいずれかであるとしてもよい。
【００２３】
さらに、前記第１および第２の誘電体層の少なくとも１つが選択的に可変な屈折率を有することとしてもよい。
【００２４】
本発明による空間光学フィルタは、
上記のいずれかに記載の光学素子を有してなり、
前記不透明な導電性フィルムの前記開口の少なくとも１つを通ずる光伝送が強化され、
さらに特定範囲の波長の光のみが前記不透明な導電性フィルムの前記開口を通じて伝送されるように入射光線に関する前記不透明な導電性フィルムの方位を調整する手段を有する。
【００２５】
本発明の他の形態による空間光学フィルタは、
上記のいずれかに記載の光学素子を有してなり、前記不透明な導電性フィルムの前記開口の少なくとも１つを通ずる光伝送が強化され、
さらに各開口を通じて移動する光が対応する光ファイバに入るように各開口と連通して配置された光ファイバを有する。
【００２６】
本発明による走査型近接場光学顕微鏡用プローブは、光源と光検出器を有する走査型近接場光学顕微鏡の集光モードで使用する走査型近接場光学顕微鏡用プローブであって、
光源から受光するために前面が光源の近くに配置された上記のいずれかに記載の光学素子を有してなり、
前記不透明な導電性フィルムの前記開口の少なくとも１つを通ずる光伝送が強化され、強化された伝送光が前記光学素子を通じて前記光検出器に伝送される。
【００２７】
本発明の他の形態による走査型近接場光学顕微鏡用プローブは、光源と光検出器を有する走査型近接場光学顕微鏡の放射モードで使用する走査型近接場光学顕微鏡用プローブであって、
光を前記光検出器に伝送するために前面が前記光検出器の近くに配置された上記のいずれかに記載の光学素子を有してなり、
前記不透明な導電性フィルムの前記開口の少なくとも１つを通ずる光伝送が強化され、強化された伝送光が前記光検出器に伝送される。
【００２８】
本発明の写真平版印刷用マスクは、感光性耐蝕膜を被覆した基板に画像を転写する写真平版印刷用マスクであって、
上記のいずれかに記載の光学素子を有してなり、
転写する前記画像に対応するパターンに準拠して前記感光性耐蝕膜を被覆した基板を露光するように前記不透明な導電性フィルムの前記開口の少なくとも１つを通ずる光伝送が強化され、前記画像を転写する。
【発明の効果】
【００２９】
以上説明したように、本発明による装置においては、強力な光伝送が行われる。
【発明を実施するための最良の形態】
【００３０】
図面を参照すると、図１は、本発明の主要な要素である薄い金属板、すなわち、金属フィルムを示す図である。
【００３１】
金属フィルム１０は第１の表面１０ａと第２の表面１０ｂを有する。金属フィルム１０は少なくとも１つの孔、すなわち、開口１２を有し、複数の開口１２を有するものでもよい。開口１２は直径がｄであり、金属フィルム１０に複数の周期的に配列された複数の開口１２が形成されている場合、周期はＰである。
【００３２】
金属フィルム１０は金属フィルムまたは金属板からなるものであってもよい。金属フィルム１０を構成する材料は、すべての金属、または、ドープ処理をした半導体のような、重要となる波長に対して不透明な導伝性材料で、アルミニウム、銀、金あるいはクロームが好ましい。
【００３３】
本発明では、金属フィルム１０は、単一の開口１２、あるいは、複数の開口１２を含むものでもよい。さらに、金属フィルム１０は、単一の開口１２、あるいは、複数の開口１２を通しての光伝送を提供するためのどの先願の教示によって作られるものであってもよい。例えば、金属フィルム１０は、'432出願に記載されているように周期的に配置された開口１２の配列が備えられたものでもよい。他の例として、金属フィルム１０は、'116出願に記述されているように金属フィルム１０の１つの面あるいは両面に周期的な表面形状（窪みや突起といった表面形状を含む）が備えられているとともに、単一の開口１２あるいは複数の周期的に配列された開口１２が備えられているものであってもよい。開口１２が単一の場合、周期的な表面形状は、金属フィルム１０の少なくとも１つの表面に備えられているべきである。開口１２が複数の場合、周期的な表面形状は、複数の開口１２自身が周期的に配列されているのであれば、周期的な表面形状は必ずしも必要ではないが、伝送効率を最大にするため、金属フィルム１０の少なくとも１つの表面に備えられているのが好ましい。開口１２の、好ましい大きさ、形状および配列、および、もし周期的な表面形状があるのならば、その表面形状（周期的な表面形状）は、金属フィルム１０の好ましい厚さだけでなく、先願で詳細に記述されている。
【００３４】
本発明は、先願で説明されている１つ以上の金属フィルム１０の構成と組み合わせるのが好ましいが（簡単のため、ここでは、先願についてはさらには記述しない）、特有の開口１２の構成、および／または、金属フィルム１０の表面形状は、本発明では重要ではない。むしろ、本発明で生じる、以下に記述する金属フィルム１０の表面に実質的に隣接する媒体の特性が重要である。
【００３５】
従来、伝送効率における、孔開き金属フィルム１０の表面に接する、あるいは非常に近傍の材料の効果は十分には理解されていなかった。発明者らは、金属フィルム１０の各面上の誘電体層の屈折率が実質的に等しいような、導電性フィルムの２つの表面の各々に実質的に隣接している誘電体層とすることによって、伝送効率をさらに強化できることを見出した。
【００３６】
図２は、開口１２が開けられた金属フィルム１０を含む本発明の光伝送装置２０の一般的な構成を示している。金属フィルム１０は、第１の表面１０ａと第２の表面１０ｂとを有する。屈折率ｎd1の第１の誘電体層１４ａは、金属フィルム１０の第１の表面１０ａに実質的に隣接して備えられている。屈折率ｎd2の第２の誘電体層１４ｂは、金属フィルム１０の第２の表面１０ｂに実質的に隣接して備えられている。本発明によって提供される強化された伝送効率は、第１の誘電体層１４ａの屈折率ｎd1が第２の誘電体層１４ｂの屈折率ｎd2と実質的に等しい場合に、明らかとなる。
【００３７】
本発明の有効性を解析するために、また、第１の誘電体層１４ａの屈折率ｎd1と第２の誘電体層１４ｂの屈折率ｎd2とが実質的に同等でない装置との有効性を比較するために、零次の伝送スペクトル（すなわち、準線形な入射光の試料から現れる波長に依存する光強度）が、以下のように記録された。
【００３８】
様々な相対屈折率の第１の誘電体層１４ａと第２の誘電体層１４ｂとを有する、図２に示すような構成のいくつかの試料が用意された。金属フィルム１０は、第１の誘電体層１４ａを構成するサファイアの基板上あるいは石英の基板上に熱蒸着された、約３００ｎｍの厚さの銀、あるいは金からなる。金属フィルム１０は光学的に不透明である。ついで金属フィルム１０内に集中イオンビーム機ミクリオン（Micrion）９５００（５０ｋｅｖガリウムイオン、スポット径５ｎｍ）を使用して開口１２が配列して加工された。個々の開口１２の直径ｄは１５０ｎｍである。開口列の周期Ｐは、０．６μｍである。伝送スペクトルは分光光度計ケイリー（Ｃａｒｙ）５内での垂直入射で得られた。
【００３９】
記録された各試料のスペクトルを解析する前に、本発明の有効性をより一層理解するために、１つ以上の開口が開けられた金属フィルムを通しての強化された光伝送を発生させる物理的原理について記述する。
【００４０】
先願に記述されているように、開口が開けられた金属フィルムと、その他の一見滑らかな表面の（すなわち、周期的表面形状の表面でない）金属フィルムとは、かなり明確なピークと強力に高められた伝送効率とを伴う、全く異なった零次の伝送スペクトルを示す。参照：T. W. Ebbesen 他、"波長未満口径の孔列による驚くべき光伝送成果（Extraordinary optical transmission through sub-wavelength hole arrays）",Nature,巻391,頁667-669, （1998年2月12日）。これらの最大値は、金属フィルム１０の両面１０ａおよび１０ｂ上での表面プラズモンと入射光との相互共鳴の結果生じる。参照：H. F. Ghaemi 他、"表面プラズモンは波長未満径の孔を通ずる光伝送を強化する（Surface Plasmons Enhance Optical Transmission Through Subwavelength Holes）", Physical Review B,巻58,第11号,頁6779-9782(1998年9月15日)。
【００４１】
図３は、本発明による光伝送装置２０における、出射光線の関連配置とその表面プラズモンとの結合状態を示す図である。本発明により作られた光伝送装置２０を入射光線波長ベクトルｋincおよび出射光線波長ベクトルｋoutと共に示す。波長ベクトルｋincは光伝送装置２０の表面への垂線Ｎに対しθの角度で光伝送装置２０に入射する。波長ベクトルｋoutは波長ベクトルｋincに平行である。波長ベクトルｋxは光伝送装置２０の表面の平面内にある波長ベクトルｋincの成分である。
【００４２】
入射光がｐ偏光（すなわち、入射電界がｘ軸に平行で孔開き金属フィルムユニットがｙ軸の周りに角度θだけ回転している）場合には、周期的構造（周期的な表面形状、または、開口の周期的配列、または、両者の結合等）を持つ金属フィルム１０上の表面プラズモンと入射光との結合は以下に示す運動量保存の法則に従う。（参照：H. Raether,"平滑および粗な平面および格子上における表面プラズモン（Surface Plasmons on Smooth and Rough Surfaces and on Gratings）",巻3, Springer Tracts in Modern Physics （Springer 出版社、ベルリン、1988））。
【００４３】
【数１】
2005070778.tif 000003
【００４４】
ここに
【００４５】
【数２】
2005070778.tif 000004
【００４６】
は表面プラズモン波長ベクトル；
【００４７】
【数３】
2005070778.tif 000005
【００４８】
は図３に示す金属フィルム１０の平面内にある入射光線ｋincの波長ベクトルの成分；
【００４９】
【数４】
2005070778.tif 000006
【００５０】
は表面構造の周期格子、例えば、正方格子の場合には
【００５１】
【数５】
2005070778.tif 000007
【００５２】
である周期格子に相当する逆格子ベクトルである。ここにＰは表面形状の周期であり、θは図３に示すような入射波長ベクトルｋincと金属フィルム１０の表面垂線Ｎ間の角度、ｉ、ｊは整数である。ベクトル
【００５３】
【数６】
2005070778.tif 000008
【００５４】
の大きさは下記分散関係式から得られる。（参照：上記H. Raether）
【００５５】
【数７】
2005070778.tif 000009
【００５６】
ここにωは入射光線の角振動数、εmとεdはそれぞれ金属と誘電媒体の誘電率である。いま、εm＜０、および、｜εm｜＞εdと仮定する。これはバルクプラズモンエネルギ以下の金属とドープ処理をした半導体に対する場合である。参照：上記 H. Reather； M. Ordal 他 "赤外線領域および遠赤外線領域における Al,Co, Cu, Au, Fe, Pb, Ni, Pd, Pt, Ag, Ti および W 等金属の光学的性質（Optical Properties of the Metals, Al, Co, Cu, Au, Fe, Pb, Ni, Pd, Pt, Ag, Tiand W in the infrared and far infrared）", Applied Optics, 巻22, 第7号,頁1099-1119 （1983年4月1日）。
【００５７】
伝送強度をＥおよびｋxの関数としてグレースケール上に描くと、得られるエネルギ運動量（Ｅ、ｋx）線図（分散線図として知られる）は一組の高伝送帯を示し、この高伝送帯の組は（２）式で与えられる表面プラズモン分散を再生する。伝送スペクトルは、金属フィルム１０に実質的に隣接する媒体がたとえ著しく異なる種類のものであっても、孔開き金属フィルム１０のどちら側が照射されるかには無関係である。
【００５８】
伝送スペクトルの最小値は、回折光線が回折格子に対して接線方向に作用した時に回折格子に現れるWoodの異常の結果と同定される。参照：上記H.F.Ghaemi他、；R. W. Wood,"回折格子スペクトルにおける光の不均一分布の異常例について（On a Remarkable Case of Uneven Distribution of Light in a Diffraction Grating Spectrum）" Phylosophical Magazine, 巻4,頁396-402、(1902)）およびR. W. Wood,"変則的回折格子（Anomalous Diffraction Gratings）"Physical Review, 巻48,頁928-936 (1935)）。Wood の異常の発生条件は、
【００５９】
【数８】
2005070778.tif 000010
【００６０】
が擦過光（格子に対し接線方向）の波長ベクトルで置換される以外は（１）式、（２）式と同じである。擦過光ベクトルの大きさは、
【００６１】
【数９】
2005070778.tif 000011
【００６２】
は隣接する媒体の屈折率である。
【００６３】
Woodの異常の発生が幾何学的形状に依存することにより、（Ｅ、ｋx）線図の表面プラズモン分枝の分散に密接に関係する最小値の組合わせが得られる。分散曲線の大部分は有限の勾配で（Ｅ、ｋx）平面を通過するので、一定の光子エネルギＥ（あるいは一定の波長）に対して伝送強度は入射角θが変動するにつれて最大値、最小値を行き来する。したがって、入射角θを変動させて、伝送光の波長または振幅を制御できる。
【００６４】
逆に、Ｅ（またはλ）が変動すると、伝送光エネルギは一定の入射角θに対して最小値、最大値を示す。金属フィルム１０に対して光線が垂直に入射（すなわち、θ＝０）すると、波長の最大値は（１）式と（２）式を組み合わせた以下の式により得られる。
【００６５】
【数１０】
2005070778.tif 000012
【００６６】
同様に最小値は以下の式により得られる。
【００６７】
【数１１】
2005070778.tif 000013
【００６８】
配列の各平面に対して伝送スペクトルの中に一組の最大値、最小値が存在する。例えば、もし金属フィルム１０に接する媒体が、一表面については空気で反対側がサファイアであれば、各表面に対する伝送スペクトル内の最大値と最小値はサファイアと空気間の屈折率の相違で互いに識別できる。参照：上記Ebbessen他および上記Ghaemi他。
【００６９】
図４ないし図７を参照すると、各金属フィルム１０の表面に実質的に隣接している誘電体層のそれぞれの屈折率の関係がわかる。
【００７０】
図４は、上述した図２の開口１２を通って記録された、金属フィルム１０が銀のフィルムであり、第１の誘電体層１４ａがサファイアの基板（サファイアの屈折率：ｎd1（サファイア）√εd1〜１．７５）であり、また、様々な屈折率の、様々な誘電媒体が第２の誘電体層１４ｂの異なる試料として用いられた場合の典型的な伝送スペクトルを示す。特に、第２の誘電体層１４ｂとして用いられた材料の例は、：空気（ｎd2＝１．０）；水（ｎd2＝１．３３）；２つの市販の屈折率のよく似た液体（ｎd2＝１．４３、１．５３）；Ｃ10Ｈ7Ｃｌ（ｎd2＝１．６３）である。屈折率は入射光の波長に依存することに留意すべきであり、ここで記述される入射光は、約５８７ｎｍの波長に概ね一致する。図４に、各第２の誘電体層１４ｂに対するスペクトルが描かれている。
【００７１】
まず、第２の誘電体層１４ｂが空気（図４中で、太い実線によって表わされている）である場合に生じたスペクトルを考える。（３）式を用いると、図４中の伝送ピークは、金属フィルム−空気の界面１０ｂ上（空気の屈折率：ｎd2（空気）＝√εd2＝１；図４中でピークは（ｉ、ｊ）Ａあるいは（ｉ、ｊ）ｄ２と表示）あるいは金属フィルム−サファイアの界面１０ａ上（サファイアの屈折率：ｎd1（サファイア）＝√εd1〜１．７５；図４中でピークは（ｉ、ｊ）Ｓと表示）のいずれかの表面プラズモンに特定することができる。
【００７２】
次に、第２の誘電体層１４ｂが、第１の誘電体層１４ａであるサファイアの屈折率に近い材料からなる場合に生じるスペクトルについて考える。これらの様々な第２の誘電体層１４ｂの材料に対するスペクトルは、図４の記号に示されているように表される。
【００７３】
発明者等は、２つの金属フィルム１０の第１の表面１０ａおよび第２の表面１０ｂに実質的に隣接する２つの誘電体層１４ａと１４ｂとの屈折率が近づくにつれ、装置を通じての伝送強度を著しく増加させることを見出した。これは、図４にグラフで示されており、伝送ピークは、第２の誘電体層１４ｂが、試された材料の中で最もサファイアの屈折率に近い、屈折率がｎd2＝１．６３である屈折率がよく似た液体の場合、最も強化された伝送を示し、最大化される。
【００７４】
２つの現象が図４において見られる。一つは、金属フィルム１０の第２の表面１０ｂ（（１、０）ｄ２）に対応するピークは、（３）式より予測されるように、より長い波長へと移行する。しかしながら、そして驚くことに、λ＝１１００ｎｍでWoodの異常があることによるピークの歪みにも関わらず、伝送強度のピークが増加することが、第１の表面１０ａに対応する最長の波長ピーク（１、０）Ｓの最も強い効果とともに観察される。換言すれば、第１の表面１０ａ上の表面プラズモンモードに対応する伝送強度は、対向する第２の表面１０ｂの表面プラズモンモードのエネルギ（波長）に影響される。第２の表面１０ｂに実質的に隣接する誘電体層の屈折率が増加すると、このように第１の表面１０ａに実質的に隣接するサファイアの屈折率に近づくので、約１１３０ｎｍでのピークの強度は、連続的に増加する。
【００７５】
図５は、図４で示される結果を確認し、また、拡張するものである。図５は、図２の装置を通じての零次の伝送スペクトルを示しており、ここでは、金属フィルム１０は金であり、第１の誘電体層１４ａはサファイアではなく、石英（石英の屈折率：ｎd1（石英）＝〜１．５）である。再び、様々な誘電性の材料が第２の誘電体層１４ｂとして用いられてる。特に、第２の誘電体層として用いられた材料の例は、：空気（ｎd2＝１．０）；水（ｎd2＝１．３３）；４つの市販の屈折率のよく似た液体（ｎd2＝１．４３、１．５３、１．７１、１．８０）；Ｃ10Ｈ7Ｃｌ（ｎd2＝１．６３）である。図からわかるように、第２の誘電体層１４ｂが石英（この場合、屈折率がｎd2＝１．５３である屈折率のよく似た液体）の屈折率に最も近い材料を含む場合、伝送ピークは最も高い。
【００７６】
図４と図５で示される（１．０）ピークの顕著な特性は、金属の２つの面に（１、０）ピークが生じる光子エネルギの差の関数として図６と図７中でまとめられている：ΔＥ＝Ｅd2（１、０）−Ｅd1（１、０）； ｄ１＝Ｑ、Ｓ（石英、サファイア）：ΔＥを減少させることはｎd2を増加させることに相当する：Ｅ＝［（ｈｃ）／λ］。図６は、最大伝送の（１、０）ピークであるＴｍａｘを示し、第１の誘電体層ｄ１側が丸印で、第２の誘電体層ｄ２側が四角印で、図４のサファイア上に銀がある試料が白抜きの記号で、図５の石英上に金がある試料が黒塗りの記号で示されている。金属フィルム１０中の開口１２はここでは直径が光波長未満であるが、これらの試料で観察されたもののうち、ｎd2＝１．００で、石英上に金がある試料の場合の、Ｔｍａｘ＝０．７２％となる最も小さな伝送ピークは、この波長（９５０ｎｍ）での１５０ｎｍの孔の集まりで通常予測されるものより約３０倍大きい。この既に高い伝送は、２つの誘電体層の屈折率が実質的に同等でΔＥ＝０である場合、１０倍以上押し上げる。
【００７７】
ΔＥ＜０（ｎd2＞ｎd1）側では、（１、０）ｄ２ピーク（図６と図７中の黒塗りの四角）のピーク伝送は高いままであるが、（１、０）Ｑピーク（図６と図７中の黒塗りの丸）は抑制され、ΔＥが十分に大きく、かつ、負になる場合わずかに伝送強度が回復している。上記抑制は、（１、０）Ｑピークがほとんど見られないｎd2＝１．６３（図５）の伝送スペクトルにおいて特に明らかであり、このことは、より詳細に以下に記述される。ｎd2を前のｎd1（すなわち前のｎquartz）と同程度に変更しての伝送強度の最大値の観察は、強化が、実効波長（λ／ｎd2）の減衰に起因する押し上げである、誘電媒体の効果ではなく、金属フィルム１０の表面の２つの対向する表面上での表面プラズモンモードの共鳴によって制御されることを示唆する。
【００７８】
図７は、（１、０）ピークより下側の領域を示す。この領域は、ピークの最大値の半分での全幅（ＦＷＨＭ：半値前幅）にわたる積分
【００７９】
【数１２】
2005070778.tif 000014
【００８０】
をとって、計算で求められた。ローレンツ曲線（Lorenzian）といった特殊な線形状に曲線をあわせることをWoodの異常の存在が不可能にするため、この現象学的な方法が用いられた。図７のデータは、図６のデータを確認する、すなわち、ΔＥ＝０の場合、伝送は共鳴して強化されることを確認する。伝送の最大値および積分されたピーク強度は、ｎd2＝１に対するそれらの値と比較された場合、１０倍以上に強化される。このことは、単なる加算的な効果は４倍程度（強度を得るために電界を２倍にし、２乗することから）の強化を生じるので、さらなる共鳴の発生を指している。ピーク幅は金属の誘電率の虚数部分だけでなく、ピークを割り込むWoodの異常の深さにも依存し、したがって孔の質および配列に依存するので、（１、０）Ｑピークおよび（１、０）Ｓピークのピーク領域が一致するという事実は、偶然かもしれない。
【００８１】
発明者等は、本発明の光伝送装置２０の伝送スペクトルが、金属フィルム１０の第１の表面１０ａおよび第２の表面１０ｂの両方に存在する表面プラズモンモードによるものと考える。例えば、各金属フィルム１０の表面の物理的な構造が同じ場合、各表面上の表面プラズモンモードに対応する伝送ピークは、各表面に接触する誘電体層の屈折率の差によって互いの波長が相殺される。本発明では、伝送は、各表面に実質的に隣接している媒体の屈折率の差の減少により大幅に改善される。これは、各表面の表面プラズモンモードのエネルギが徐々に接近するようになるので、各表面の表面プラズモンモード間の結合を強化する。結果として、伝送効率は１０倍程度に大いに強化される。誘電体層の適切な組み合わせは、伝送の絶対量を調整可能にする。
【００８２】
上述したように、非対称性が強いという意味で、２つの表面プラズモンモードの共鳴は非常にまれである。２つの伝送ピークが互いにより近づくように動かすにつれ、長波長ピークの伝送効率が増加し、一方、短波長の伝送効率は強く抑制される。抑制は共鳴点で最も強い。 これは、ΔＥ＝０で零に近づく、ΔＥ＜０の（１、０）Ｑピークの積分された強度（石英上に金を堆積した試料；図７における黒塗りの丸印）において明白である。サファイア上に銀を堆積した試料（図４）の場合も同様の傾向が見られる。（１、０）Ｓピークと（１、０）ｄ２ピークとが近づくように動かすにつれ（ｎd2が増加するにつれ）、（１、０）Ｓピークは強度を驚異的に増すが、（１、０）ｄ２ピークは実際にはより弱くなる。
【００８３】
図７中で、サファイア上に銀がある試料（白抜き四角）の（１．０）ｄ２ピークも、ΔＥ＝０で零になる。非対称性は、長波長（低いエネルギ）ピークが金属フィルム基板上の表面プラズモンモードに対応するかどうか、すなわち、金属フィルム１０と液体との界面に対応するかどうかと無関係とし、また、第１または第２の誘電体層（ｄ１またはｄ２）が照射されるかどうかに関わらないものとする。
【００８４】
本発明の光伝送装置２０の好ましい実施形態が、図２に示されている。装置２０は、第１の表面１０ａ、第２の表面１０ｂ、および、少なくとも１つの開口１２が開けられた金属フィルム１０を含む。第１の誘電体層１４ａは金属フィルム１０の第１の表面１０ａに実質的に隣接して備えられており、第２の誘電体層１４ｂは金属フィルム１０の第２の表面１０ｂに実質的に隣接して備えられている。伝送強度は、第１の誘電体層１４ａの屈折率ｎd1が第２の誘電体層１４ｂの屈折率ｎd2と実質的に等しいことを確保することで最も強化される。この著しく改善された伝送強化は、広く配列された開口１２だけでなく少数の開口１２あるいは単一の開口１２の場合でさえも生じる。
【００８５】
図２は、各金属フィルム１０の表面に実質的に隣接している固体の誘電体層を図示しているように見えるが、誘電体層の物理的な状態（固体、液体、気体）によって発明が制限されていないことに注目すべきであり、また、図２は、任意の物理的な状態の誘電体層を図示することが意図されている。したがって、例えば、発明は、両表面が空気あるいは真空で囲まれた、独立した金属フィルム１０、固体の材料および気体、または、真空の屈折率が実質的に等しい場合に限り、金属フィルム１０の一方の面側上が固体あるいは液体の誘電体層で、金属フィルム１０の他方の面側上が気体あるいは真空の金属フィルム１０を含む。しかしながら、実際的見地から言えば、固体の基板上に薄い金属フィルム１０を堆積させることにより薄い金属フィルム１０を用意するのが一般的に最も容易であり、したがって、２つの誘電体層のうちの１つは、多くの場合（必ずしもではないが）固体の材料である。
【００８６】
少なくとも１つの開口１２を備えた金属フィルム１０は別として、本発明は、金属フィルム１０の２つの表面のうちの１つに各々実質的に隣接している、屈折率が実質的に等しい２つの誘電体層を必要とする。本発明によれば、誘電体層が金属フィルム１０の表面と物理的に接触している場合、あるいは、誘電体層と金属フィルム１０の間の距離が、誘電体層と金属フィルム１０の間にある媒体内での表面プラズモンの減衰長さ、すなわち、浸透深さ未満あるいは等しい場合、誘電体層は、金属フィルム１０の表面に「実質的に隣接」している。
【００８７】
さらに、本発明によれば、第１の誘電体層１４ａと第２の誘電体層１４ｂのそれぞれの誘電率は、以下の場合"実質的に等しい"とみなす。伝送ピークは（３）式によれば屈折率（ｉ、ｊ）の各セットに対して生じる。さらに、金属フィルム１０の各表面は、その金属フィルム１０の表面に実質的に隣接している誘電体層の屈折率に依存する金属フィルム１０自身のピークのセットを生成する。
【００８８】
各金属フィルム１０の表面に対応する２つのピークのピーク波長（あるいはピーク光子エネルギ）が、２つの波長のうちの長い波長の方の半値全幅（すなわち、ピークの（伝送における）最大振幅での、（波長における）ピークの幅）以下の差である場合、第１の誘電体層１４ａの屈折率ｎd1と第２の誘電体層１４ｂの屈折率ｎd2とは実質的に等しいとみなされる。例えば、図５での、第２の誘電体層１４ｂが空気（太い実線によって表示された）である伝送スペクトルを考える。よく知られた関係Ｅ＝［（ｈｃ）／λ］を用いると、金属−空気の表面（（１、０）Ａ）および金属−石英の表面（（１、０）Ｑ）の（１、０）ピークにおけるピークエネルギが約０．７ｅＶによって分けられるのに対して、金属−空気の表面（（１、０）Ａ）および金属−石英の表面（（１、０）Ｑ）の両方の（１、０）ピークの半値全幅は、０．１５ｅＶ以下である。従って、ピークエネルギ（０．７ｅＶ）の差が半値全幅以上（＜０．１５ｅＶ）であるので、空気とサファイアの屈折率は"実質的に等しい"とみなされず、また、これらの２つの誘電性材料は本発明によって提示された、強化された伝送を生じない。対照的なのは、第２の誘電体層１４ｂが、屈折率ｎd2＝１．５３の、屈折率がよく似た液体であり、（１、０）Ｑピークと（１、０）ｄ２ピークのピークエネルギが一致し、ΔＥ＝０、すなわち、ΔＥ＜半値全幅の場合である。この最適な場合（ΔＥ＝０）は、２つの最大の表面プラズモンの強化を示す。長波長の伝送ピークで強化が生じることが注目されるべきである。実際に、短波長ピークにおいては、ΔＥが０（図７を参照）に向かうにつれ、伝送は消える傾向にある。
【００８９】
第１の誘電体層１４ａおよび第２の誘電体層１４ｂに用いられた材料は、伝送される光の波長において透明な、すべての誘電性の試料（空気あるいは真空を含む）である。材料は固体、液体あるいは気体である。誘電体材料の適切な例としては、サファイア、石英、ガラス、ポリマ（ＰＭＭＡ（ポリメタクリル酸）のような）、マグネシウムフッ化物、二酸化ケイ素、窒化ケイ素、極度にドープ処理された半導体、液晶、水、空気および有機溶剤を含むが、限定されるものではない。誘電性材料の屈折率は一定であってもよいし、あるいは、'265出願に記述されるように、屈折率は選択的に可変であってもよい。誘電体層１４ａおよび１４ｂは任意の厚さであってもよいが、金属フィルム１０の表面上の表面プラズモンのエバネッセント波の浸透深さと少なくとも同等の厚さ（例えば、一般的に、約１００ｎｍから２００ｎｍの厚さは空気または石英の誘電体層に適切である）が好ましい。
【００９０】
さらに、第１の誘電体層１４ａと第２の誘電体層１４ｂは同じ材料であってもよいが、ほとんど実質的に等しい屈折率を有する限り、第１の誘電体層１４ａと第２の誘電体層１４ｂは異なる材料でもよい。製造することを考慮すると、第１の誘電体層１４ａと第２の誘電体層１４ｂに異なる誘電性の２つの媒体を使用して装置を構成するほうがしばしばより容易であるため、第１の誘電体層１４ａと第２の誘電体層１４ｂに異なる材料を使用して、本発明によって提示された伝送強度を利用する技量は、重要である。例えば、固体の石英の基板上で銀のフィルムのように薄い金属フィルム１０を堆積させることは比較的簡単である。しかし、石英で金属フィルム１０（基板の反対側）の残りの表面を被覆することはより困難である。それゆえ、石英の屈折率と実質的に等しい屈折率を有している、適用が容易な別の材料（ＰＭＭＡのように）が、代わりに適用されるものであってもよい。この方法により、本発明の強化された伝送効率は、容易に製造された装置で実現できる。
【００９１】
光伝送は、可視光、紫外線、赤外線、遠赤外線、またマイクロ波領域を含む広範囲の波長の光で操作可能であり、操作する波長は、開口／表面形状配列の周期性およびｎd1およびｎd2によって決定される。
【００９２】
上述された本発明の光伝送装置２０は、多くの応用が可能であり、そのいくつかを以下に記述する。
【００９３】
１つ以上の開口１２を有する金属フィルム１０（そして、任意に、少なくとも１つの表面が周期的な表面形状を示している）の伝送スペクトルは、表面上の入射光の角度に依存する。この角度への依存性は、ここで記述される、改善された相互表面連結を備えた光伝送装置２０と結合して、図８に示されるような波長選択光学フィルタ７０をもたらす。上述したように構成された光伝送装置２０は、基板といったような、支持部材７２に搭載されるのが好ましく、また、支持部材７２は回転可能な軸７４に搭載されるのも好ましい。この光学フィルタの改善された性能は、独立した金属フィルム１０（すなわち、金属フィルム１０の第１の表面１０ａおよび第２の表面１０ｂは同じ気体あるいは真空に接している）場合、あるいは、そうでなければ、金属フィルム１０の両方の表面が、実質的に等しい屈折率の誘電性の材料に実質的に隣接している（好ましくは被覆されている）場合のいずれかにおいて、達成される。もし必要であるのならば、周期的な表面形状はさらに金属フィルム１０上に備えられていてもよいが、必須ではない。破線は光学フィルタ７０の表面に対する法線Ｎを表し、光学フィルタ７０への入射光角度は法線Ｎに対する角度θで表す。光学フィルタ７０を回転調整して入射角θを変更し、光伝送が角度の関数としてピークになる波長を選択的に変動することができる。この性質を利用して、１つ以上の開口１２と周期的表面形状を有する、少なくとも１つの表面を有する金属フィルム１０を含み、所定の入射角を得るように調整できる光学フィルタを形成できる。フィルタの入射角が変動するにつれフィルタを通じる伝送光の波長もまた変動し、その値は選択した入射角に基づいて選択できる。光学フィルタ７０による伝送は、金属フィルム１０の各面の誘電体層の実質的に等しい屈折率によって強化されることが重要である。
【００９４】
上記の波長選択機能を有する光学フィルタ７０は、紫外線、可視光線および長波長光線に対して使用することができる。この光学フィルタ７０の利点は、出射光と入射光とが同一線上となるので、減衰が生じる全反射装置に比べて、光線を再指向する必要が無いことである（参照：上記H.Raether）。
【００９５】
本発明が提供する光学フィルタの他の変形例として空間光学フィルタがある。空間光学フィルタは、フィルタの表面に沿った選択した位置で波長、および／または、伝送光の強度の変動を行い得るフィルタである。
【００９６】
本発明の空間光学フィルタは上記のように、周期的表面形状を含む表面特殊形状が周期的開口と不整合、および／または、非同調である光伝送装置２０を利用する。表面特殊形状と開口間の整合性、および／または、位相差を変えることにより、'116出願に示されているように、任意の指定位置でフィルタを通じて伝送された伝送光の波長、および／または、強度を制御することができる。例えば、周期的に配置された表面特殊形状は金属フィルム１０上において、いかなる指定位置においても周期的に配置した開口１２と同調、または、非同調するように位置させることができる。この配置において、表面特殊形状、すなわち、周期的表面形状が、周期的に配置された開口１２と同調している場所では開口１２を通じて強い伝送が生じる。また、表面特殊形状が周期的に配置された開口１２と同調していない場所では、開口１２を通じての強い伝送は発生しない。
【００９７】
本発明の空間光学フィルタは、固定して搭載することもできるし、また、もし不整合、および／または、非同調配列の影響と角度伝送依存性とを組み合わせたいのであれば、空間光学フィルタは、図８に示すように回転可能に搭載することができる。
【００９８】
１つ以上の開口１２を有し、任意に少なくとも１つの表面特殊形状の金属フィルム１０の表面を備えた本発明の光伝送装置２０は、従来の網配列、すなわち、赤外線またはマイクロ波領域においてフィルタとして使用された粗な網、または、ワイヤー列と比較して、光学フィルタとして改善された波長選択性を示す。参照：R.Ulrich,"金属メッシュの遠赤外線領域特性とその構造（Far-Infraed Properties Of Metallic Mesh And Its Complimentary Structure）", Infrared Physics, 巻7、頁 37-55 (1967)； L.C.Botten 他,"共振領域における誘導性グリッド：理論と実験（Inductive Grids In The Resonant Region:Theory And Experiment）", International Journal of Infrared and Millimeter Waves,巻6,第7号,頁511-575(1985)。
【００９９】
さらに、材料がギャップ内のエネルギを除いて全ての波長において不活性、または、透過性である光子バンドギャップ配列と異なり、本発明は結合が生ずる波長を除いた全ての波長において不透明な材料を利用できる。
【０１００】
本発明の他の用途として図９と図１０に示す集光装置がある。Iincidentの矢印で表示される光が光伝送装置２０に入射する。光伝送装置２０は誘電性の基板１４ｂ上に堆積した金属フィルム１０を有する。図９に示すように、金属フィルム１０は複数の開口１２を備え、かつ、金属フィルム１０は、少なくともその１つの表面上に配置された周期的配列の表面形状４０を含む周期的表面特殊形状をさらに備え、金属フィルム１０の第１の表面１０ａに光が入射するのが好ましい。集光は、金属フィルム１０を通じての伝送後、複数の開口１２を通じて、好ましくは各開口１２にできるだけ近く連通するように対応して設けられた複数の光ファイバ８０に移動する。あるいは、図１０に示すように、単一の開口１２を金属フィルム１０に設けても良い。ここでは単一の光ファイバ８０が単一の開口１２と連通して集光しており、光が１つの光ファイバ８０に伝送される。
【０１０１】
本発明によれば、金属フィルム１０が実質的に開口１２の光ファイバ８０の端面に隣接（好ましくは接触している）して備えられ、光ファイバ８０の材料の屈折率と実質的に等しい屈折率の誘電体層が備えられている場合に最高の特性が達成される。
【０１０２】
図９および図１０に示される集光器において、開口１２を通り光ファイバ８０に入る光の強度は、上記のように本発明の光伝送装置２０により強化される。
開口１２の縦横比は重要ではなく、上記のように強力集光の波長を決定するには表面特殊形状４０の周期が重要である（参照：例えば上記の（３）式および（４）式）。
【０１０３】
以前は光波長未満の光ファイバに光を導くことは困難であった。光の方向を決めるのに複雑なレンズおよび調節装置が使用された。本発明においては、開口のある面の表面範囲よりも多くの光が開口を伝送するため、金属開口と表面特殊形状の配列が集光器のように作用する。結果的に、ファイバ（もし開口が光波長未満の径ならばその長さのファイバを含む）への光の導入が効率的になる。実際に本発明の集光器は、本発明に使用された１つ以上の開口１２と、屈折率が実質的に等しく金属フィルム１０の各面側に実質的に隣接する誘電体層との組合わせに対する、開口１２のみの列を利用する集光器よりなお一層効率的である。
【０１０４】
単一開口を有する構造表面の他の用途としては、近接走査光学顕微鏡法（ＮＳＯＭ：Near-field Scanning Optical Microscopy）における用途がある。図１１ないし図１３のそれぞれは本発明により製造した近接走査光学顕微鏡装置を示す図である。
【０１０５】
図１１および図１２に示すように（分解図には、様々な金属フィルムおよび誘電体層が示されている）、光源９０は支持材（図示せず）に支えられた試料９２を通じて、集光器として作用するプローブ１００に光を伝送する。プローブ１００は前面１０２を有する光伝送装置である。上記の光伝送装置２０で利用された金属フィルム１０に相当する金属フィルム１０４を、例えば堆積により、装置の前面１０２に固定する。独立した間に挟まる誘電体層を用いてもよいが、プローブ１００の前面１０２が、金属フィルム１０４に実質的に隣接する第１の誘電体層としての役割を果たすのが好ましい。金属フィルム１０４はプローブ１００が集めた光の強度を増すために、単一の波長未満径の開口１０６と、好ましくは配列された窪み等の表面特殊形状１０８を含む。このような表面形状１０８が備えられる場合、表面形状１０８は、プローブ１００の前面１０２に面する、金属フィルム１０４の表面上に備えられるのが好ましい。第１の誘電体層の屈折率と実質的に等しい屈折率の第２の誘電体層１１０は、図示されるているように金属フィルム１０４に実質的に隣接している。
【０１０６】
図１１に矢印で示すように、プローブ１００が集めた光は、プローブ１００を通じて従来公知のＮＳＯＭ信号処理作業に送られる。周期的な表面形状（もし、用いられるなら）は、試料に対面する金属フィルム１０４側に設けてもよいし、あるいは、試料の反対側でプローブ１００の前面１０２に隣接する金属フィルム１０４側に設けてもよいことに注目すべきである。
【０１０７】
図１３は本発明による近接走査光学顕微鏡装置の他の実施例の構造を示す図である。ここで、プローブ１００は、集光器（集光モード）としてではなく、光源（放射モード）として作用する。プローブ１００の構造は図１１および図１２に示すものと同様である。図１３の矢印で示すように、光はプローブ１００に入り前面１０２に向かう。
【０１０８】
光は、金属フィルム１０４に実質的に隣接して備えられた、屈折率が実質的に等しい２つの誘電体層１０２および１１０と結合する（また、もし、備えられているなら、金属フィルム１０４上の表面形状１０８の周期的な配列とも結合する）。続いて、光は前面１０２上の単一の波長未満径の開口１０６を経由して試料９２を通り、従来から行われている信号処理のため光検出器９４に伝送される。本発明によれば、上記のＮＳＯＭ実施形態のすべてにおいて、金属フィルム１０４の両方の表面が、屈折率が実質的に等しい誘電体層に実質的に隣接している場合、最も高い伝送強度は達成される。
【０１０９】
ＮＳＯＭの解像度は開口の寸法により決定され、径が小さい程解像度が向上する。しかし実際には、上記のように波長未満径の開口の伝送量は（ｄ／λ）4で減少し、発生する信号の強度が非常に低くなるため、達成できる解像度には実際上の限度がある。したがって、より良い解像度を達成するために開口がより小さく作られるにつれて、本発明の単一の波長未満径の開口１０６によるＮＳＯＭプローブ（周期的な表面形状と組み合わせて）にて行われる強い光伝送は、周期的表面形状とあいまって従来のＮＳＯＭに比べるとますます有利となる。それは本発明の光伝送は、開口１０６の表面積に線形的に依存し、波長は開口１０６を取り巻く表面特殊形状の周期と規則性によってのみ決定されるからである。換言すれば、本発明のＮＳＯＭプローブは上記の（ｄ／λ）4での依存性に妨害されない。
【０１１０】
図１４および図１５に示す他の実施例では、１つ、または、複数個の開口を有する本発明による光伝送装置２０を使用し、金属マスク内の周期的表面特殊形状と開口の配置を工夫して、波長未満写真平板印刷用の新規のマスクを作ることができる。
【０１１１】
マスク２００は１つ以上の開口１２４を有する金属フィルム１２０を含んでいる。金属フィルム１２０の第１の表面１２０ａは、例えば第１の誘電体層１３０に金属フィルム１２０を堆積して、実質的に第１の誘電体層１３０に隣接して設けられている。もし、さらなる伝送強度が望まれるのであれば、金属フィルム１２０の少なくとも１つの表面上に周期的表面形状を構成するように、窪み等の複数の周期的に配置された表面特殊形状１２６が金属フィルム１２０の少なくとも１つの表面上に設けられる。このような表面特殊形状１２６が設けられた場合、表面特殊形状１２６は、光１５０が入射する金属フィルム１２０の表面１２０ｂ上に設けられるのが好ましい。第１の誘電体層１３０の屈折率と実質的に等しい屈折率の第２の誘電体層１４０は、実質的に金属フィルム１２０の第２の表面１２０ｂに隣接して設けられている。開口１２４の直径よりずっと大きい波長λを有する入射光１５０が、マスク２００に向けられる。入射光１５０は、金属フィルム１２０と組み合わせられている第１と第２の誘電体層１３０および１４０によって与えられる相互表面結合と結合し、もし設けられているのであれば、周期的表面形状とも結合し、（λ／２）よりずっと小さい特異形状を持つ写真石版画像を作るために、開口１２４を通り金属フィルム１２０に投影される。マスクを通して伝送された強度は、屈折率が実質的に等しい第１と第２の誘電体層の存在によって大いに強化される。
【０１１２】
本発明の写真石版作業を例示するため、感光材料を塗布した基板１６０上の文字Ｈの写しと二つの点を図１４と図１５に示す。転写する画像（この場合文字Ｈ）に対応する配置で、スリット状の開口１２４ａが金属フィルム１２０内に形成される。さらに、円形または点状の開口１２４ｂが、二つの点の画像として作られる。光１３０はマスク２００を指向し、ついで光は上記のように、屈折率が実質的に等しい第１と第２の誘電体層による（もし設けられているのであれば、表面特殊形状１２６がもたらした周期的表面形状にもよる）増強された伝送効果と共に、開口１２４ａと１２４ｂを通り伝送される。その結果、感光性耐蝕膜被覆の基板１６０が希望した画像１４２のパターンで露光される。
【０１１３】
本発明の写真石版印刷用マスクは、強度の紫外線およびＸ線源を使用することなく、感光性材料上に波長未満の幅の点または線を描くことができる。強い線源の代わりに、通常の紫外線源または可視光線源さえも使用できる。さらに、本発明ではＸ線感光性耐蝕膜の代わりに、従来の感光材料、例えば紫外線感光性または可視光感光性耐蝕膜を使用できる。
【０１１４】
以上ある種の用途における各種の光伝送装置につき記述、例示してきたが、当業者には明らかなように、ここに添付する請求の範囲に依ってのみ限定される本発明の精神および広い教義から逸脱することなく変更、修正が可能である。
【図面の簡単な説明】
【０１１５】
【図１】本発明で用いられる孔開き金属フィルムの斜視図である。
【図２】金属フィルムの表面のうちの１つに実質的に隣接している第１の誘電体層と金属フィルムの別の表面に実質的に隣接している第２の誘電体層とを有する孔開き金属フィルムを含む、本発明によって構成された光伝送装置の断面図である。
【図３】本発明による光伝送装置に関する入射および出射光の幾何学的配置を示す概略斜視図である。
【図４】金属フィルムは銀のフィルムであり、第１の誘電体層がサファイアの基板である場合の、図２で示された光伝送装置の、第２の誘電体層に用いられた様々な誘電媒体用の零次伝送スペクトルを示すグラフである。
【図５】金属フィルムは金のフィルムであり、第１の誘電体層が石英の基板である場合の、図２で示された光伝送装置の、第２の誘電体層に用いられた様々な誘電媒体用の零次伝送スペクトルを示すグラフである。
【図６】ピークエネルギの差ΔＥを関数とした、図４および図５における様々な（１、０）ピークの、ピーク伝送強度の変化を示すグラフである。
【図７】ΔＥを関数とした、ピークの最大値の半分での全幅にわたって積分された、図４および図５における様々な（１、０）ピークとなる領域の変化を示すグラフである。
【図８】光の入射角を変更して通過する光の伝送を選択的に変更する装置を示す斜視概略図で、かかる装置は波長選択光学フィルタとして有効である。
【図９】本発明による集光器の概略斜視図である。
【図１０】本発明による集光器の概略斜視図である。
【図１１】本発明による近接走査光学顕微鏡用プローブの概略斜視図で、プローブは集光モードで操作されている。
【図１２】本発明による近接走査光学顕微鏡用プローブの概略分解図である。
【図１３】本発明による近接走査光学顕微鏡用プローブの概略斜視図で、プローブは放射モードで操作されている。
【図１４】写真石版印刷用マスクとして利用される、本発明の光伝送装置の概略斜視図である。
【図１５】本発明を使用した写真石版印刷用マスクにより、光電性被覆を有する基板上に転写された最終的パターンを示す斜視概略図である。
【符号の説明】
【０１１６】
１０、１０４、１２２ 金属フィルム
１０ａ、１２０ａ 第１の表面
１０ｂ、１２０ｂ 第２の表面
１２、１０６、１２４ａ、１２４ｂ 開口
１４ａ、１３０ 第１の誘電体層
１４ｂ、１１０、１４０ 第２の誘電体層
２０ 光伝送装置
７０ 光学フィルタ
７２ 支持部材
７４ 軸
８０ 光ファイバ
９０ 光源
９２ 試料
９４ 光検出器
１００ プローブ
１０２ 前面
１０８、１２６ 表面特殊形状
１４２ 画像
１６０ 基板
１５０ 入射光
２００ マスク
【図１】
2005070778.tif 000015
【図２】
2005070778.tif 000016
【図３】
2005070778.tif 000017
【図４】
2005070778.tif 000018
【図５】
2005070778.tif 000019
【図６】
2005070778.tif 000020
【図７】
2005070778.tif 000021
【図８】
2005070778.tif 000022
【図９】
2005070778.tif 000023
【図１０】
2005070778.tif 000024
【図１１】
2005070778.tif 000025
【図１２】
2005070778.tif 000026
【図１３】
2005070778.tif 000027
【図１４】
2005070778.tif 000028
【図１５】
2005070778.tif 000029